(57)【要約】【課題】本考案は、指輪やブレスレット等の内径サイズの微調節を行うことができる内径サイズ調節可能アクセサリーを提供する。【解決手段】内径サイズ調節可能指輪１０のバンド体１２は複数の柱状体１４を隙間部１６を設けて連続させることにより構成されている。バンド体１２の一端部１２Ａには留め具取付体２２を介して留め具２６が取り付けられている。この留め具２６のフック用ピン２８には第１フック３４及び第２フック３６が回動自在に取り付けられている。第１フック３４の先端部には隙間部１６に差し込まれて柱状体１４に係止可能な第１フック部３８が形成され、前記第２フック３６の先端部にも隙間部１６に差し込まれて柱状体１４に係止可能な第２フック部４０が形成されている【選択図】図１
0003120817.tif 000002
【実用新案登録請求の範囲】
【請求項１】
複数の柱状体を連続配設することにより形成されたバンド体と、このバンド体の一端部に取り付けられる留め具と、この留め具を構成するフック用ピンと、前記留め具を構成すると共にフック用ピンに回動自在に取り付けられた第１フックと、前記留め具を構成すると共に前記フック用ピンに回動自在に取り付けられて前記第１フックと一緒に前記柱状体を複数挟持できる第２フックと、この第２フックと前記バンド体の一端部の間に介在して第２フックとバンド体の一端部を連結する留め具取付体と、を有してなることを特徴とする内径サイズ調節可能アクセサリー。
【請求項２】
複数の柱状体を隙間部を設けて連続配設することにより形成されたバンド体と、このバンド体の一端部に取り付けられる留め具と、この留め具を構成するフック用ピンと、前記留め具を構成すると共にフック用ピンに回動自在に取り付けられた第１フックと、前記留め具を構成すると共にフック用ピンに回動自在に取り付けられて前記第１フックと一緒に前記柱状体を複数挟持できる第２フックと、前記第１フックの先端部に形成されると共に前記隙間部に差し込まれて前記柱状体に係止可能な第１フック部と、前記第２フックの先端部に形成されると共に前記隙間部に差し込まれて前記柱状体に係止可能な第２フック部と、前記第２フックと前記バンド体の一端部の間に介在して第２フックとバンド体の一端部を連結する留め具取付体と、を有してなることを特徴とする内径サイズ調節可能アクセサリー。
【請求項３】
複数の柱状体を隙間部を設けて連続配設することにより形成されたバンド体と、このバンド体の一端部に配設される留め具と、この留め具を構成するフック用ピンと、前記留め具を構成すると共にフック用ピンに回動自在に巻装された第１フック回動筒体と、前記留め具を構成すると共にフック用ピンに回動自在に巻装された第２フック回動筒体と、前記留め具を構成すると共に第１フック回動筒体に基端部が固定された第１フックと、前記第留め具を構成すると共に２フック回動筒体に基端部が固定されて前記第１フックと一緒に前記柱状体を複数挟持できる第２フックと、前記第１フックの先端部に形成されると共に前記隙間部に差し込まれて前記柱状体に係止可能な第１フック部と、前記第２フックの先端部に形成されると共に前記隙間部に差し込まれて前記柱状体に係止可能な第２フック部と、前記第２フックと前記バンド体の一端部の間に介在して第２フックとバンド体の一端部を連結すると共に前記第２フックが第１フックと離間方向に回動すると前記バンド体の一端部を引っ張る留め具取付体と、を有してなることを特徴とする内径サイズ調節可能アクセサリー。
【請求項４】
複数の柱状体を隙間部を設けて連続配設することにより形成されたバンド体と、このバンド体の一端部に配設される留め具と、この留め具を構成するフック用ピンと、前記留め具を構成すると共にフック用ピンに回動自在に巻装された第１フック回動筒体と、前記留め具を構成すると共にフック用ピンに回動自在に巻装された第２フック回動筒体と、前記留め具を構成すると共に第１フック回動筒体に基端部が固定された第１フックと、前記第留め具を構成すると共に２フック回動筒体に基端部が固定されて前記第１フックと一緒に前記柱状体を複数挟持できる第２フックと、前記第１フックの先端部に形成されると共に前記隙間部に差し込まれて前記柱状体に係止可能な第１フック部と、前記第２フックの先端部に形成されると共に前記隙間部に差し込まれて前記柱状体に係止可能な第２フック部と、前記バンド体の他端部の柱状体に設けられたズレ防止用突起と、前記第２フックと前記バンド体の一端部の間に介在して第２フックとバンド体の一端部を連結すると共に前記第２フックが第１フックと離間方向に回動すると前記バンド体の一端部を引っ張る留め具取付体と、を有してなることを特徴とする内径サイズ調節可能アクセサリー。
【考案の詳細な説明】
【技術分野】
【０００１】
本考案は、指輪、ブレスレット、ペンダントトップ等のアクセサリーに関し、詳しくは指輪、ブレスレット、ペンダントトップ等のアクセサリーの内径サイズの微調節を行うことができる内径サイズ調節可能アクセサリーに関する。
【背景技術】
【０００２】
従来から複数の柱状体を隙間部を設けてバンド状に連続したバンド体を設けたアクセサリーとしての指輪が提案されている（特許文献１）。
このタイプの指輪はバンド体の一端部に側面視略コ字状に一体形成された留め具が回動可能に取り付けられている。
前記指輪を指に装着する場合は前記バンド体を指に巻き付けた後に前記留め具を回動させてバンド体の複数の柱状体を留め具に嵌め込むことにより留め具をバンド体に固定して指輪を指に装着している。
従って、前記指輪を指に装着する場合は前記柱状体の直径寸法の倍数でサイズ調節は可能であるが、前記柱状体の直径寸法より小さいサイズ調節はできなかった。
この結果、前記指輪では内径サイズの微調節ができないという不具合がある。
【特許文献１】実用新案登録第２５１５８１１号公報
【考案の開示】
【考案が解決しようとする課題】
【０００３】
本考案は、上記事実に鑑みなされたものであり内径サイズの微調節を行うことができる内径サイズ調節可能アクセサリーを提供するものである。
【課題を解決するための手段】
【０００４】
請求項１の考案は、複数の柱状体を連続配設することにより形成されたバンド体と、このバンド体の一端部に取り付けられる留め具と、この留め具を構成するフック用ピンと、前記留め具を構成すると共にフック用ピンに回動自在に取り付けられた第１フックと、前記留め具を構成すると共に前記フック用ピンに回動自在に取り付けられて前記第１フックと一緒に前記柱状体を複数挟持できる第２フックと、この第２フックと前記バンド体の一端部の間に介在して第２フックとバンド体の一端部を連結する留め具取付体と、を有してなることを特徴としている。
請求項２の考案は、複数の柱状体を隙間部を設けて連続配設することにより形成されたバンド体と、このバンド体の一端部に取り付けられる留め具と、この留め具を構成するフック用ピンと、前記留め具を構成すると共にフック用ピンに回動自在に取り付けられた第１フックと、前記留め具を構成すると共にフック用ピンに回動自在に取り付けられて前記第１フックと一緒に前記柱状体を複数挟持できる第２フックと、前記第１フックの先端部に形成されると共に前記隙間部に差し込まれて前記柱状体に係止可能な第１フック部と、前記第２フックの先端部に形成されると共に前記隙間部に差し込まれて前記柱状体に係止可能な第２フック部と、前記第２フックと前記バンド体の一端部の間に介在して第２フックとバンド体の一端部を連結する留め具取付体と、を有してなることを特徴としている。
請求項３の考案は、複数の柱状体を隙間部を設けて連続配設することにより形成されたバンド体と、このバンド体の一端部に配設される留め具と、この留め具を構成するフック用ピンと、前記留め具を構成すると共にフック用ピンに回動自在に巻装された第１フック回動筒体と、前記留め具を構成すると共にフック用ピンに回動自在に巻装された第２フック回動筒体と、前記留め具を構成すると共に第１フック回動筒体に基端部が固定された第１フックと、前記第留め具を構成すると共に２フック回動筒体に基端部が固定されて前記第１フックと一緒に前記柱状体を複数挟持できる第２フックと、前記第１フックの先端部に形成されると共に前記隙間部に差し込まれて前記柱状体に係止可能な第１フック部と、前記第２フックの先端部に形成されると共に前記隙間部に差し込まれて前記柱状体に係止可能な第２フック部と、前記第２フックと前記バンド体の一端部の間に介在して第２フックとバンド体の一端部を連結すると共に前記第２フックが第１フックと離間方向に回動すると前記バンド体の一端部を引っ張る留め具取付体と、を有してなることを特徴としている。
請求項４の考案は、複数の柱状体を隙間部を設けて連続配設することにより形成されたバンド体と、このバンド体の一端部に配設される留め具と、この留め具を構成するフック用ピンと、前記留め具を構成すると共にフック用ピンに回動自在に巻装された第１フック回動筒体と、前記留め具を構成すると共にフック用ピンに回動自在に巻装された第２フック回動筒体と、前記留め具を構成すると共に第１フック回動筒体に基端部が固定された第１フックと、前記第留め具を構成すると共に２フック回動筒体に基端部が固定されて前記第１フックと一緒に前記柱状体を複数挟持できる第２フックと、前記第１フックの先端部に形成されると共に前記隙間部に差し込まれて前記柱状体に係止可能な第１フック部と、前記第２フックの先端部に形成されると共に前記隙間部に差し込まれて前記柱状体に係止可能な第２フック部と、前記バンド体の他端部の柱状体に設けられたズレ防止用突起と、前記第２フックと前記バンド体の一端部の間に介在して第２フックとバンド体の一端部を連結すると共に前記第２フックが第１フックと離間方向に回動すると前記バンド体の一端部を引っ張る留め具取付体と、を有してなることを特徴としている。
【考案の効果】
【０００５】
本考案は、アクセサリーのバンド体の内径サイズの微調節を行うことができるので装着する指や手首等の太さに合わせてフィットさせてアクセサリーを装着できるという優れた効果を有する。
また、請求項４の本考案は、上記優れた効果の他にバンド体の他端部にズレ防止用突起を設けたのでアクセサリーを長時間装着していてもバンド体の他端部がズレたりするのを防止できるという優れた効果を有する。
【考案を実施するための最良の形態】
【０００６】
考案を実施するために最良の形態の例として以下のような実施例を示す。
【実施例１】
【０００７】
図１〜図７には本考案の内径サイズ調節可能アクセサリーの一実施例が示されている。なお、この実施例では前記内径サイズ調節可能アクセサリーをアクセサリーとしての指輪に適用した場合を例にして説明する。
図１及び図２に示されるように、内径サイズ調節可能アクセサリーとしての内径サイズ調節可能指輪１０のバンド体１２は貴金属で円柱状に形成された柱状体１４を隙間部１６を設けて連続して並べることにより構成されている。これら柱状体１４の直径寸法Ｘは２ｍｍに設定されている。
前記柱状体１４の両端部には貴金属で形成されたボールチェーン１８のボール体１８Ａが載置された状態で前記柱状体１４にロー付けされて固定されている。従って、前記柱状体１４はボールチェーン１８を介して繋がれている。
図１に示されるように、前記バンド体１２の一端部１２Ａの先端に位置する柱状体１４には留め具取付体２２を構成する第１係止パイプ２３が取り付けられている。また、前記バンド体１２の他端部１２Ｂに位置する柱状体１４にはズレ防止用突起２４が形成され、柱状体１４と柱状体１４の間に形成された隙間部１６に入り込むことができるようになっている（図３、図４参照）。また、前記バンド体１２の一端部１２Ａには留め具２６が取り付けられている。
図５に示されるように、この留め具２６を構成するフック用ピン２８の中央部には留め具２６を構成する第１フック回動筒体３０が回転自在に巻装されている。また、前記フック用ピン２８の両端部には留め具２６を構成する第２フック回動筒体３２，３２が回転自在に巻装されている。
前記第１フック回動筒体３０には留め具２６を構成する第１フック３４の基端部３４Ａがロー付けにより固定されている。また、前記第２フック回動筒体３２，３２には留め具２６を構成する第２フック３６の基端部３６Ａがロー付けにより固定されている。従って、第１フック３４及び第２フック３６はフック用ピン２８を中心に図５矢印方向に回動自在になっている。
前記第１フック３４の先端部には前記柱状体１４に係止可能な鉤状の第１フック部３８が形成され、前記第２フック３６の先端部にも前記柱状体１４に係止可能な鉤状の第２フック部４０が形成されている。
図１及び図６に示されるように、前記第２フック３６の基端面３６Ｂには前記留め具取付体２２を構成する第２係止パイプ４２が固定されている。前記第１係止パイプ２３と前記第２係止パイプ４２は前記留め具取付体２２を構成する連結体４４，４４を介して回動可能に連結されている。従って、前記留め具２６は留め具取付体２２を介してバンド体１２の一端部１２Ａに回動可能に取り付けられている。
図５に示されるように、前記第１フック３４にはダイヤモンド、ルビー等の宝石等（図示せず）を固定する台座４６（想像線で示す）が取り付けられるようになっている。宝石等を固定した台座４６を取り付けることにより前記内径サイズ調節可能指輪１０の外観品質を一段と向上させることができる。
【０００８】
次に、実施例の内径サイズ調節可能指輪１０の作用について説明する。
この内径サイズ調節可能指輪１０を指に装着する場合は、バンド体１２の他端部１２Ｂを指に当てた状態にしてからバンド体１２を指に巻き付ける。
そして、図３に示されるようにバンド体１２の留め具２６の第１フック３４の第１フック部３８を柱状体１４と柱状体１４の間の隙間部１６に差し込んで第１フック部３８を柱状体１４に係止する。また、前記第１フック３４と一緒に前記柱状体１４を４本挟持すべく第２フック３６を第１フック３４と離間方向（図３矢印Ｅ方向）に回動させて第２フック部４０を柱状体１４と柱状体１４の間に形成された隙間部１６に差し込んで第２フック部４０を柱状体１４に係止する。なお、この時、この実施例では前記第２フック３６は前記第１フック３４に対して略直交状態になるように設定されている。
従って、前記留め具２６の第１フック３４と第２フック３６とで４本の柱状体１４を挟持するので、バンド体１２を指に巻き付けた状態で内径サイズ調節可能指輪１０を指に装着することができる（図７参照）。
また、前記バンド体１２の他端部１２Ｂに設けられたズレ防止用突起２４は柱状体１４と柱状体１４の間の隙間部１６に差し込まれるので内径サイズ調節可能指輪１０を長時間装着していてもバンド体１２の他端部１２Ｂが横方向にズレたりすることを確実に防止できる。
また、前記内径サイズ調節可能指輪１０の内径サイズを少し小さくした状態で内径サイズ調節可能指輪１０を指に装着したい場合は、図４に示されるように前記留め具２６の第１フック３４の第１フック部３８を柱状体１４に係止する。そして、前記第１フック３４と一緒に前記柱状体１４を５本挟持すべく第２フック３６を第１フック３４と離間方向（図４矢印Ｅ方向）に大きく回動させて第２フック部４０を柱状体１４と柱状体１４の間に形成された隙間部１６に差し込んで第２フック部４０を柱状体１４に係止する。
従って、前記第２フック３６を図４矢印Ｅ方向に大きく回動させたことにより柱状体１４を４本挟持していた場合（図３参照）に比べて第２フック３６の基端部３６Ａに固定されている留め具取付体２２も図４矢印Ｅ方向に回動するため、バンド体１２の一端部１２Ａも留め具取付体２２に引っ張られて、留め具取付体２２が回動した分だけバンド体１２は全体として少し引き締められる。
これにより、前記内径サイズ調節可能指輪１０の内径サイズを少し小さくすることができるので、内径サイズ調節可能指輪１０の内径サイズの微調節（前記柱状体１４の直径寸法Ｘ以下の調節）が可能となる。
なお、前記ズレ防止用突起２４を差し込む隙間部１６を変えることによっても、副次的に前記内径サイズ調節可能指輪１０の内径サイズを少し小さく調節することもできる。
また、前記留め具２６はバンド体１２の一端部１２Ａに留め具取付体２２を介して回動可能な状態に取り付けられているので、内径サイズ調節可能指輪１０を指に装着した場合に生じる外力はバンド体１２の一端部１２Ａに集中しなくなるのでバンド体１２の一端部１２Ａが傷むのを可及的に防ぐことができる。
【０００９】
なお、実施例では本考案の内径サイズ調節可能アクセサリーを指輪に適用した場合を例にして説明したが、本考案の内径サイズ調節可能アクセサリーは指輪に限定されるものではなく、例えばブレスレット、ペンダントトップ等他のアクセサリーに適用してもよいことは勿論である。
また、実施例では柱状体１４として円柱状の材料を使用したが、柱状体１４は柱状であれば円柱状の材料に限定されるものではなく三角柱、四角柱、パイプ体等でもよいことは勿論である。
【図面の簡単な説明】
【００１０】
【図１】実施例の内径サイズ調節可能指輪の展開正面図である。
【図２】実施例の内径サイズ調節可能指輪の展開背面図である。
【図３】実施例の内径サイズ調節可能指輪を指に装着した状態の縦断面図である。
【図４】実施例の内径サイズ調節可能指輪を指に装着した状態の縦断面図である。
【図５】実施例の内径サイズ調節可能指輪の留め具の全体斜視図である。
【図６】実施例の内径サイズ調節可能指輪のバンド体の一端部付近の拡大展開正面図である。
【図７】実施例の内径サイズ調節可能指輪を指に装着した状態の全体斜視図である。
【符号の説明】
【００１１】
１０    内径サイズ調節可能指輪
１２    バンド体
１４    柱状体
１６    隙間部
１８    ボールチェーン
２２    留め具取付体
２３    第１係止パイプ
２４    ズレ防止用突起
２６    留め具
２８    フック用ピン
３０    第１フック回動筒体
３２    第２フック回動筒体
３４    第１フック
３６    第２フック
３８    第１フック部
４０    第２フック部
４２    第２係止パイプ
４４    連結体
【図１】
0003120817.tif 000003
【図２】
0003120817.tif 000004
【図３】
0003120817.tif 000005
【図４】
0003120817.tif 000006
【図５】
0003120817.tif 000007
【図６】
0003120817.tif 000008
【図７】
0003120817.tif 000009